(57)【特許請求の範囲】
【請求項１】
少なくとも外周をフレームに保持した振動板と、前記フレームの中央部に前記フレームより突出するように設けられたヨークとマグネットとプレートとで構成された磁気回路と、この磁気回路の空隙部に保持されるように前記振動板の中心部に固着されたボイスコイルと、固定端に前記ボイスコイルのリード線に接続すると共に、この固定端をフレームに保持した一対の板ばね状端子とで構成されたスピーカであって、この一対の板ばね状端子が前記スピーカの軸方向に可動するところの互いが平行で略同じ機械的特性を有し、その可動端は音響機器の音声出力端子と接続するための接点を各々持ち、この一対の可動端の接点がスピーカから略同じ距離にある一対の音響機器の音声出力端子との接続点において、スピーカの軸方向の平面形状の中心線上の前記ヨークの両外側の前記フレームの上方外周端近傍にそれぞれ配置されるように構成したスピーカ。
【発明の詳細な説明】
【０００１】
【発明の属する技術分野】
本発明は各種音響機器に使用されるスピーカに関するものである。
【０００２】
【従来の技術】
スピーカは携帯音響機器用として幅広く使用されており、音響機器の生産の合理化、自動化のための自動実装対応化及び小型化のための省スペース化が強く求められている。
【０００３】
ここで、自動実装対応の従来のスピーカについて、図３により説明する。
図３（ａ）は従来の板ばね状端子を備えたスピーカの平面図、図３（ｂ）は同半側断面図、図３（ｃ）は同正面図である。
【０００４】
同図によると、１は空気振動を発生する円形状一体型の振動板であり、この振動板１の外周部はフレーム２に保持されているとともに中心部にはボイスコイル３が固着されている。上記フレーム２の中央部にはトッププレート４、ヨーク５、磁石６からなる磁気回路が設けられ、この磁気回路の空隙部にボイスコイル３が保持されている。このボイスコイル３に流れる駆動電流によるボイスコイル３が駆動し、振動板１が振動し、音波が放射されるものである。
【０００５】
一方、８は導電性の板ばね状端子であり、この板ばね状端子８の固定端８ａはフレーム２に保持され、それぞれボイスコイル３のリード線（図示せず）が接続されている。また可動端８ｂは音響機器の音声出力端子１２と接続するための接点７を備えている。
【０００６】
【発明が解決しようとする課題】
しかしながら、上述の板ばね状端子８を備えた小型のスピーカは、
１．携帯音響機器の場合は常に振動にさらされるため、可動端８ｂの接点７と音響機器（図示せず）の音声出力端子１２間は微摺動を繰り返し、（１）音響機器の音声出力端子１２との接続点１０がスピーカの中心上にないため、可動端８ｂが変移して生じる加重がスピーカ前面９に均等に配分されない。（２）一対の可動端８ｂの接点７が中央部にあるため図３（ｃ）の矢印のような端子と垂直方向の振れが発生しやすい。これらのスピーカ取り付けの不安定さは、フレティング現象と称する接点不良を起す原因となり、瞬断等によりスピーカにガリ音が発生する。
２．可動端８ｂとヨーク５のショート防止のための接続点１０をヨーク５から離す必要があり、結果的にスピーカの接続を含む必要空間が大きくなる。
という課題を有するものであった。
【０００７】
本発明は上記課題を解決するもので、機器生産の自動実装に対応した省スペースで、かつ、接点接続の信頼性に優れたスピーカを提供するものである。
【０００８】
【課題を解決するための手段】
上記課題を解決するために本発明のスピーカは、外周をフレームに保持した振動板と、前記フレームの中央部に前記フレームより突出するように設けられたヨークとマグネットとプレートとで構成された磁気回路と、この磁気回路の空隙部に保持されるように前記振動板の中心部に固着されたボイスコイルと、固定端に前記ボイスコイルのリード線に接続すると共に、この固定端をフレームに保持した一対の板ばね状端子とで構成されたスピーカであって、この一対の板ばね状端子が前記スピーカの軸方向に可動するところの互いが平行で略同じ機械的特性を有し、その可動端は音響機器の音声出力端子と接続するための接点を各々持ち、この一対の可動端の接点がスピーカから略同じ距離にある一対の音響機器の音声出力端子との接続点において、スピーカの軸方向の平面形状の中心線上の前記ヨークの両外側の前記フレームの上方外周端近傍にそれぞれ配置することによりスピーカ取り付けの安定性を高め、音響機器の振動により発生する可動端の接点と音響機器の音声出力端子間の微摺動を軽減し、瞬断を抑制するとともに接点劣化を防止するものである。
【０００９】
また、接続不良によるスピーカのガリ音の防止が図れ、かつ、音響機器の音声出力端子との接続点を凸状ヨークの外側のスピーカのより近い位置に配置させることができ、スピーカの接続を含む必要空間が少なくなり音響機器の省スペース化が図れるものである。
【００１０】
【発明の実施の形態】
本発明の請求項１に記載の発明は、少なくとも外周をフレームに保持した振動板と、前記フレームの中央部に前記フレームより突出するように設けられたヨークとマグネットとプレートとで構成された磁気回路と、この磁気回路の空隙部に保持されるように前記振動板の中心部に固着されたボイスコイルと、固定端に前記ボイスコイルのリード線に接続すると共に、この固定端をフレームに保持した一対の板ばね状端子とで構成されたスピーカであって、この一対の板ばね状端子が前記スピーカの軸方向に可動するところの互いが平行で略同じ機械的特性を有し、その可動端は音響機器の音声出力端子と接続するための接点を各々持ち、この一対の可動端の接点がスピーカから略同じ距離にある一対の音響機器の音声出力端子との接続点において、スピーカの軸方向の平面形状の中心線上の前記ヨークの両外側の前記フレームの上方外周端近傍にそれぞれ配置されるように構成して、上記可動端が変移して生じる加重をスピーカ前面に均等に配分するとともに、端子と垂直方向の振れを抑制することによりスピーカ取り付けの安定性を高め、携帯音響機器等の振動により発生する可動端の接点と音響機器の音声出力端子間の微摺動を軽減し、接点劣化を防止することによって接点不良によるスピーカにガリ音の防止を図り、かつ、音響機器の音声出力端子との接続点を凸状ヨークの外側のスピーカのより近い位置に配置させて、スピーカの接続を含む取り付けの必要空間を少なくし音響機器の省スペースを図るものである。
【００１２】
（実施の形態１）
図１（ａ）は、本発明の板ばね状端子を備えたスピーカの平面図、図１（ｂ）は同半側断面図、図１（ｃ）は同正面図である。
【００１３】
同図によると、１は空気振動を発生する円形状一体型の振動板であり、この振動板１の外周部はフレーム２に保持されているとともに中心部にはボイスコイル３が固着されている。上記フレーム２の中央部にはトッププレート４、ヨーク５、磁石６からなる磁気回路が設けられ、この磁気回路の空隙部にボイスコイル３が保持されている。このボイスコイル３に流れる駆動電流によりボイスコイル３が駆動し、振動板１が振動し、音波が放射されるものである。
【００１４】
一方、１３は導電性の板ばね状端子であり、この板ばね状端子１３の固定端１３ａはフレーム２に保持され、それぞれボイスコイル３のリード線が接続されている。また可動端１３ｂは音響機器の音声出力端子１２と接続するための接点７を備え、この一対の接点７がスピーカから同じ距離にある一対の音響機器の音声出力端子１２との接続点１４において、スピーカの軸方向の平面形状の中心線１１上の両側外周端にそれぞれ配置されるように構成してある。
【００１５】
以上のように構成されたスピーカは、上記可動端１３ｂが変移して生じる加重をスピーカ前面９に均等に配分することができるとともに、板ばね状端子１３と垂直方向の振れを抑制できスピーカ取り付けの安定性が高まった。このことにより、携帯音響機器の振動により発生する可動端１３ｂの接点７と音響機器の音声出力端子１２間の微摺動が抑制され、接点劣化を防止して接点不良によるスピーカのガリ音防止が行えるものである。また、音響機器の音声出力端子１２との接続点１４を凸状ヨーク５の外側のスピーカのより近い位置に配置されてあり、スピーカの接続を含む取り付けの必要空間を少なくして音響機器の省スペース化を可能とするものである。
【００１６】
（実施の形態２）
本発明の他の実施の形態を図２（ａ），（ｂ），（ｃ）により説明する。なお、実施の形態１と同一部分は同一番号を付し、説明を省略して説明する。
【００１７】
図２（ａ）は本発明の他の実施の形態のスピーカの平面図、図２（ｂ）は同半側断面図、図２（ｃ）は同正面図である。
【００１８】
同図によると、実施の形態１との相違点は板ばね状端子１３の形状であり、板ばね状端子１３を固定端１３ａ近傍で分割して一端子あたり２個の接点７で構成するものである。
【００１９】
このように構成されたスピーカは、接点故障率を大幅に低減でき接点接続の高信頼性化を可能とするものである。
【００２０】
【発明の効果】
以上のように、本発明のスピーカは構成したので、接点接続の高信頼性化ができ接点不良によるスピーカのガリ音防止が図れるとともに、音響機器の音声出力端子との接続点を凸状ヨークの外側のスピーカのより近い位置に配置させたことによって、スピーカの接続を含む取り付けの必要空間を少なくでき、音響機器の省スペースが図れるものである。
【００２１】
尚、上記実施の形態では、板ばね状端子はフレームに保持されているが、この板ばね状端子が振動板の保護カバー等のフレームに類する部品に保持されていても、同じ効果が得られることは言うまでもない。
【図面の簡単な説明】
【図１】（ａ）本発明のスピーカの一実施の形態の平面図
（ｂ）同半側断面図
（ｃ）同正面図
【図２】（ａ）同他の実施の形態の平面図
（ｂ）同半側断面図
（ｃ）同正面図
【図３】（ａ）従来のスピーカの平面図
（ｂ）同半側断面図
（ｃ）同正面図
【符号の説明】
１  振動板
２  フレーム
３  ボイスコイル
４  トッププレート
５  ヨーク
６  磁石
７  接点
１３  板ばね状端子
１３ａ  固定端
１３ｂ  可動端
【図１】
0003783369.tif 000002
【図２】
0003783369.tif 000003
【図３】
0003783369.tif 000004